(57)【要約】【課題】地面とのグリップ性を低下させることなく、方向転換し易いスパイクシューズを提供する。【解決手段】３枚〜６枚の板状のスパイク羽根１ａがベースに一体に連設された金属製の第１スパイク金具１を備え、各スパイク羽根１ａは第１スパイク金具１の中心Ｏから延びる仮想の放射ラインに対し傾いたラインに沿って概ね等角度ピッチに互いに離間して配置され、各スパイク羽根１ａの全てが靴底３０の前足部３１の内側ＩＮの端から第２基節骨の外側の端までの間で、かつ、母趾球から第１末節骨の骨底までの位置に配置され、各スパイク羽根１ａは、中心Ｏから遠ざかるに従い放射ラインから第１回転方向とは逆の第２回転方向に向って遠ざかるように放射ラインに対し傾いている。【選択図】図１
0003144588.tif 000002
【実用新案登録請求の範囲】
【請求項１】
前足部が接地し、かつ、踵部が離地した状態で、前記踵部が前記前足部を中心に足の外側に向って第１回転方向に旋回する内旋動作に適したスパイクシューズであって、
３枚〜６枚の板状のスパイク羽根がベースに一体に連設された金属製の第１スパイク金具を備え、
前記各スパイク羽根は前記第１スパイク金具の中心から延びる仮想の放射ラインに対し傾いたラインに沿って概ね等角度ピッチに互いに離間して配置され、
前記各スパイク羽根の全てが靴底の前足部の内側の端から第２基節骨の外側の端までの間で、かつ、母趾球から第１末節骨の骨底までの位置に配置され、
前記中心の前後方向の位置が、第１ＭＰ関節よりも前方で、かつ、第１趾節間関節よりも後方に設定され、
前記中心の足の幅方向の位置が、第１基節骨の内側のエッジラインと第２基節骨の軸線との間に設定され、
前記各スパイク羽根は、前記中心から遠ざかるに従い前記放射ラインから前記第１回転方向とは逆の第２回転方向に向って遠ざかるように前記放射ラインに対し傾いているスパイクシューズ。
【請求項２】
請求項１において、前記第１スパイク金具のベースは樹脂製のソール本体に埋設されており、
前記中心において前記ベースを覆い、かつ、前記ソール本体が下方に向って略円柱ないし略円錐台状に突出した突出部を更に備えたスパイクシューズ。
【請求項３】
請求項１もしくは２において、前記中心の幅方向の位置が第１基節骨の軸線と第２基節骨の内側のエッジラインとの間に設定されたスパイクシューズ。
【請求項４】
請求項１、２もしくは３において、前記中心の前後方向の位置が第１基節骨の骨底よりも前方で、かつ、第１趾節間関節よりも後方に設定されたスパイクシューズ。
【請求項５】
請求項１ないし４のいずれか１項において、前記羽根は前記中心に最も近い内端と前記中心から最も離れた外端とを備え、
前記内端と前記中心とを結んだ仮想の第１ラインと、前記内端と前記外端とを結んだ仮想の第２ラインとのなす傾角θが１０°〜６０°に設定されたスパイクシューズ。
【請求項６】
請求項５において、前記羽根の側面が平坦な平板状に形成されているスパイクシューズ。
【請求項７】
請求項５において、前記羽根の側面が前記第１ラインに向って凸となるように前記羽根が屈曲ないし湾曲しているスパイクシューズ。
【請求項８】
請求項１ないし７のいずれか１項において、前記第１スパイク金具とは別体の複数の第２スパイク金具を更に備え、
前記第２スパイク金具が少なくとも第１および第２末節骨よりも前方の先端部と、ＭＰ関節よりも後方の前足部の後部とに設けられているスパイクシューズ。
【請求項９】
請求項１ないし８のいずれか１項において、前記第１スパイク金具のスパイク羽根のうち半分以上が前記中心よりも前方に配置されているスパイクシューズ。
【考案の詳細な説明】
【技術分野】
【０００１】
本考案は野球やソフトボールなどのベースボールにおいて着用するスパイクシューズに関する。
【背景技術】
【０００２】
従来より、スパイクシューズに関して種々の提案がなされている。
【特許文献１】特開２００２−２１９００６
【特許文献２】実公昭６２−２５１２８号
【特許文献３】実公昭６２−１９２１５号
【特許文献４】特開２００１−２０４５０８
【特許文献５】特開平６−１３３８０７号
【特許文献６】特表２００１−５１１６８
【０００３】
たとえば、野球などのベースボールに使用されるスパイクシューズでは、全ての方向にダッシュし易い機能が求められる。
また、バッティング動作の軸足（打者のキャッチャー側の足）の動きや、外野手や内野手が守備位置から背走して捕球する為に動き出す際の軸足の動き、投手が送球する際の軸足の動きなどにおいて、前後方向や左右方向の地面との高いグリップ性が求められる。
【０００４】
したがって、本考案の目的は、地面とのグリップ性を低下させることなく、所望の方向に転換した後ダッシュするのに適したスパイクシューズを提供することである。
【０００５】
前記目的を達成するために、本考案のスパイクシューズは、前足部が接地し、かつ、踵部が離地した状態で、前記踵部が前記前足部を中心に足の外側に向って第１回転方向に旋回する内旋動作に適したスパイクシューズであって、３枚〜６枚の板状のスパイク羽根がベースに一体に連設された金属製の第１スパイク金具を備え、前記各スパイク羽根は前記第１スパイク金具の中心から延びる仮想の放射ラインに対し傾いたラインに沿って概ね等角度ピッチに互いに離間して配置され、前記各スパイク羽根の全てが靴底の前足部の内側の端から第２基節骨の外側の端までの間で、かつ、母趾球から第１末節骨の骨底までの位置に配置され、前記中心の前後方向の位置が、第１ＭＰ関節よりも前方で、かつ、第１趾節間関節よりも後方に設定され、前記中心の足の幅方向の位置が、第１基節骨の内側のエッジラインと第２基節骨の軸線との間に設定され、前記各スパイク羽根は、前記中心から遠ざかるに従い前記放射ラインから前記第１回転方向とは逆の第２回転方向に向って遠ざかるように前記放射ラインに対し傾いている。
【０００６】
ベースボールにおいて方向転換する場合、プレーヤは前足部が接地し、かつ、踵部が離地した状態で、踵部が前足部を中心に足の外側に向って第１回転方向に旋回する内旋動作を行う。かかる第１回転方向に旋回する内旋時には、各羽根が土を第１回転方向に押すが、この際、前記スパイク羽根が第２回転方向に向って放射ラインから遠ざかるように放射ラインに対し傾いているので、前記羽根により土が第１回転方向に押されながら中心から外方に押し出される。そのため、回転の抵抗が小さくなって内旋動作がスムースになる。
背走する場合などにおいては前記方向転換後にダッシュするのであるが、当該ダッシュ時には前足部が外側に向かって蹴り出されるので、スパイク羽根に第２回転方向に力が加わる。このダッシュの際の外旋時には、内旋時とは逆に前記羽根により土が第２回転方向に押されながら中心に向って押し込められる。そのため、回転の抵抗が大きくなるので、外旋方向には踏ん張り易くなるから、ダッシュの推進力が増大する。
したがって、所望の方向に転換した後、ダッシュするのに適している。
【０００７】
なお、前記第１スパイク金具の中心とは、全てのスパイク羽根の図形中心（重心）をいう。
【０００８】
本考案の好適な実施例では、前記第１スパイク金具のベースは樹脂製のソール本体に埋設されており、前記中心において前記ベースを覆い、かつ、前記ソール本体が下方に向って略円柱ないし略円錐台状に突出した突出部を更に備えている。
本態様によれば、前記突出部が略円柱ないし略円錐台状に突出して設けられているので、該突出部が内旋時やダッシュの外旋時にスパイクシューズの回転中心になり易い。そのため、内旋時に突出部が回転中心となって内旋動作がスムースになると共に、ダッシュの外旋時に羽根により土が中心に集められる際に突出部が抵抗となって外旋方向に踏ん張り易くなる。
【０００９】
本考案の更に好適な実施例では、前記中心の幅方向の位置が第１基節骨の軸線と第２基節骨の内側のエッジラインとの間に設定されている。
本態様によれば、スパイク金具の中心が内旋時および外旋時の回転中心に対して幅方向に一致し易いので、より一層、内旋動作がスムースになると共に、外旋方向には踏ん張り易くなる。
【００１０】
本考案の更に好適な実施例では、前記中心の前後方向の位置が第１基節骨の骨底よりも前方で、かつ、第１趾節間関節よりも後方に設定されている。
本態様によれば、スパイク金具の中心が内旋時およびダッシュの外旋時の回転中心に一致し易くなることにより、より一層、内旋動作がスムースになると共に、ダッシュ時には外旋方向に踏ん張り易くなる。
【００１１】
本考案の好適な実施例では、前記羽根は前記中心に最も近い内端と前記中心から最も離れた外端とを備え、前記内端と前記中心とを結んだ仮想の第１ラインと、前記内端と前記外端とを結んだ仮想の第２ラインとのなす傾角θが１０°〜６０°に設定されている。
本態様によれば、前記羽根の傾角が前記所定の角度の範囲に設定されていることにより、内旋時には前記羽根と地面との回転の抵抗が小さくなって内旋動作がスムースになると共に、ダッシュの外旋時には前記羽根と地面との回転の抵抗が大きくなって外旋方向に踏ん張り易くなる。つまり、傾角θが１０°よりも小さいと内旋時の抵抗が大きくなりすぎ、傾角θが６０°よりも大きいと外旋方向に踏ん張りにくくなる。
なお、前記傾角として、より好ましくは２０°〜４５°に設定される。
【００１２】
本考案の好適な実施例では、前記羽根の側面が平坦な平板状に形成されている。
本態様によれば、羽根をベースに対し折り曲げて製造する際に製造が容易になる。
【００１３】
本考案の好適な実施例では、前記羽根の側面が前記第１ラインに向って凸となるように前記羽根が屈曲ないし湾曲していてもよい。
本態様によれば、内旋時の抵抗が更に小さくなると共に、外旋方向については抵抗が更に大きくなる。
【００１４】
本考案の好適な実施例では、前記第１スパイク金具とは別体の複数の第２スパイク金具を更に備え、前記第２スパイク金具が少なくとも第１および第２末節骨よりも前方の先端部と、ＭＰ関節よりも後方の前足部の後部とに設けられている。
本態様によれば、第２スパイク金具を別体とすることにより金具の重量が軽くなる。また、前足部全体による踏ん張りや蹴り出しが容易になる。
なお、第２スパイク金具は前記中心を中心とする円に沿った形状・配置とするのが好ましい。
【００１５】
本考案の好適な実施例では、前記第１スパイク金具のスパイク羽根のうち半分以上が前記中心よりも前方に配置されている。
本態様によれば、第１スパイク金具のスパイク羽根のうち半分以上が前記中心よりも前方に配置されているので、足の先端に近い部分において地面を蹴り出すダッシュ動作時に多くのスパイク羽根が地面に係合する。
【実施例】
【００１６】
以下、本考案の一実施例を図面にしたがって説明する。
本考案のスパイクシューズは、図２および図７に示すように、左右のシューズが対称に作成されるが、以下の説明では、主として左足を例示して説明する。
【００１７】
本スパイクシューズは、図１Ｂに示す前足部３１が接地し、かつ、踵部３２が離地した状態で、踵部３２が前足部３１を中心に足の外側ＯＵＴに向って第１回転方向Ｒ１に旋回する内旋動作がスムースに行えるように作成されている。
以下、本シューズの各部の構成について説明する。
【００１８】
第１スパイク金具１：
図１および図２に示すように、靴底を構成するソール本体３０には、地面に突き刺さる３枚の板状のスパイク羽根１ａを備えた第１スパイク金具１が設けられている。
図３Ａ〜図３Ｃに示すように、前記第１スパイク金具１は、前記スパイク羽根１ａとベース１ｂとからなる。前記スパイク羽根１ａは、足裏に沿ったベース１ｂから下方に向って突出している。第１スパイク金具１は１枚の金属板を折り曲げて作成される。
【００１９】
スパイク羽根１ａ：
図３Ｂに示すように、前記各スパイク羽根１ａは第１スパイク金具１の図形中心からなる中心Ｏを中心として回転した回転対称の位置および形状を有している。
したがって、各スパイク羽根１ａは前記中心Ｏから互いに概ね等距離に形成されている。
【００２０】
図４Ａに示すように、前記各スパイク羽根１ａは第１スパイク金具１の中心Ｏから延びる仮想の放射ライン（第１ライン）Ｌｒに対し所定角度傾いた仮想のライン（第２ライン）Ｌｓに沿って概ね等角度ピッチに互いに離間して配置されている。
前記各スパイク羽根１ａは、前記中心Ｏから法線方向（放射ラインの延びる方向）に遠ざかるに従い、前記放射ラインＬｒから前記第１回転方向Ｒ１とは逆の第２回転方向Ｒ２に向って遠ざかるように該放射ラインＬｒに対し傾いている。
【００２１】
前記各スパイク羽根１ａは、前記中心Ｏに最も近い内端１１と該中心Ｏから最も離れた外端１２とを備えている。前記内端１１と中心Ｏとを結んだ前記第１ラインＬｒと、前記内端１１と外端１２と結んだ第２ラインＬｓとのなす傾角θは、所定の角度の範囲に設定されている。前記傾角θの角度範囲としては、１０°〜６０°に設定するのが好ましく、より好ましくは２０°〜４５°に設定される。
【００２２】
図３Ａ〜図３Ｃに示すように、前記スパイク羽根１ａの側面は平坦な平板状に形成されている。
図１Ｂおよび図２に示すように、第１スパイク金具１の３本のスパイク羽根１ａのうち、半分以上である２本のスパイク羽根１ａが前記中心Ｏよりも前方Ｘ１に配置されている。
なお、図３Ｄ〜図３Ｆに示すように、右足用の第１スパイク金具１は、前述した左足用の第１スパイク金具１と対称に形成される。
【００２３】
スパイク羽根１ａの位置：
図１Ｂに示す前記スパイク羽根１ａの全ては、靴底３０の前足部３１の内側ＩＮの端から、図５に示す第２基節骨Ｂ３2 の外側の端までの間で、かつ、母趾球（母趾中足骨Ｂ４1 の骨頭）Ｏ１から第１末節骨Ｂ１1 の骨底までの位置に配置されている。
ここに、骨底とは各骨における後方の関節に近い部位で若干太く膨らんだ部位をいい、近位骨頭とも呼ばれており、一方、骨頭とは各骨における前方の関節に近い部位で若干太く膨んだ部位をいい、遠位骨頭とも呼ばれている。
なお、図８の変形例に示すように、スパイク羽根１ａは、前記母趾球Ｏ１まで延びていてもよい。
【００２４】
第１スパイク金具１の中心Ｏの位置：
図５に示すように、前記第１スパイク金具１の中心Ｏの前後方向Ｘの位置は、第１ＭＰ関節ＭＰ1 よりも前方Ｘ１で、かつ、第１趾節間関節Ｊ1 よりも後方Ｘ２に設定されている。
前記中心Ｏの足の幅方向Ｗの位置は、第１基節骨Ｂ３1 の内側ＩＮのエッジラインＬ１と、第２基節骨Ｂ３2 の軸線Ｌ２との間に設定されている。
なお、図５において第１スパイク金具１のベース１ｂはソール本体３０（図１）に埋設された状態で図示されている。
【００２５】
好ましくは、前記中心Ｏの前記幅方向Ｗの位置が第１基節骨Ｂ３1 の軸線Ｌ３と、第２基節骨Ｂ３2 の内側ＩＮのエッジラインＬ４との間に設定される。
また、好ましくは中心Ｏの前後方向Ｘの位置が第１基節骨Ｂ３1 の骨底よりも前方Ｘ１で、かつ、第１趾節間関節Ｊ1 よりも後方Ｘ２に設定される。
【００２６】
突出部３：
図３Ａ〜図３Ｃに示す第１スパイク金具１のベース１ｂは、ソール本体３０（図１Ａ〜図１Ｃ）に埋設されている。
前記中心Ｏにおいて、前記ベース１ｂは、図１Ａに示すように、ソール本体３０が下方の地面に向って略円錐台状に突出した突出部３に覆われている。
なお、突出部３は略円柱に形成されていてもよい。
【００２７】
図６に示すように、各スパイク羽根１ａが前記中心Ｏを中心に第１回転方向Ｒ１に旋回する内旋時には、該スパイク羽根１ａが土Ｓ１を第１回転方向Ｒ１に押す。この際、各スパイク羽根１ａが第２回転方向Ｒ２に向って傾いているので、スパイク羽根１ａにより、該スパイク羽根１ａの第１回転方向Ｒ１側の土Ｓ１が第１回転方向Ｒ１に押されながら外方に向って押し出される。そのため、回転の抵抗が小さくなり内旋動作がスムースになる。
一方、第２回転方向Ｒ２に回転力が加わる外旋時（ダッシュ時）には、各スパイク羽根１ａが第２回転方向Ｒ２に向って傾いているので、内旋時とは逆にスパイク羽根１ａにより土Ｓ２が第２回転方向Ｒ２に押されながら中心Ｏに向って押し込められる。ここで、前述のように、突出部３が設けられているので、スパイク羽根１ａの第２回転方向Ｒ２側の土Ｓ２が突出部３によって押し止められ、回転の抵抗が大きくなるので、ダッシュ時には外旋方向に踏ん張り易くなる。
【００２８】
第２スパイク金具２１〜２７：
図１Ｂに示すように、本スパイクシューズには、前記第１スパイク金具１とは別体の第２スパイク金具２１〜２７が設けられている。前記第２スパイク金具２１〜２７には、それぞれスパイク羽根２１ａ〜２７ａが形成されている。
【００２９】
前記第２スパイク金具２１〜２７のうち、少なくとも１つの第２スパイク金具２２は、図８に示す第１および第２末節骨Ｂ１1 ，Ｂ１2 よりも前方Ｘ１の先端部に設けられている。一方、少なくとも１つ以上の第２スパイク金具２４，２５は、ＭＰ関節ＭＰ1 〜ＭＰ5 よりも後方Ｘ２の前足部３１の後部に設けられている。
【００３０】
前記第２スパイク金具２１〜２７のスパイク羽根２１ａ〜２７ａは、それぞれ、第１スパイク金具１の点Ｏを中心とする円に沿った形状および配置に設定されている。すなわち、内旋時の抵抗が小さくなるように、第１スパイク金具１の中心Ｏから遠ざかるに従い、該中心Ｏを中心とする円に対して大きく傾かないように配置されている。
【００３１】
変形例：
図４Ｂおよび図４Ｃはスパイク羽根１ａの変形例を示す。
図４Ｂに示すスパイク羽根１ａは、前記第１ラインＬｒに向って凸となるように円弧状に湾曲している。
図４Ｃに示すスパイク羽根１ａは、前記第１ラインＬｒに向って凸となるように「へ」の字状に屈曲している。
【産業上の利用可能性】
【００３２】
本考案は、野球等のベースボール用のスパイクシューズに採用することができる。
【図面の簡単な説明】
【００３３】
【図１】本考案にかかる左足のスパイクシューズを示す概略側面図および概略底面図である。
【図２】同スパイクシューズを底面から見た概略斜視図である。
【図３】図３Ａ〜図３Ｃは左足用の第１スパイク金具を示す概略平面図、概略正面図および概略側面図、図３Ｄ〜図３Ｆは右足用の第１スパイク金具を示す概略平面図、概略正面図および概略側面図である。
【図４】図４Ａは各スパイク羽根の配置を示す概略正面図、図４Ｂおよび図４Ｃはスパイク羽根の変形例を示す概略正面図である。
【図５】スパイク羽根および突出部と足の骨格との位置関係を示す概略底面図である。
【図６】内旋動作時と外旋時におけるスパイク羽根による土の動きを示す概略底面図である。
【図７】右足のスパイクシューズを示す底面から見た概略斜視図である。
【図８】変形例を示すスパイクシューズと骨格との関係を示す概略底面図である。
【符号の説明】
【００３４】
１：第１スパイク金具
１ａ：スパイク羽根
１ｂ：ベース
３：突出部
２１〜２７：第２スパイク金具
３０：ソール本体、靴底
３１：前足部
３２：踵部
Ｂ１1 ：第１末節骨
Ｂ１2 ：第２末節骨
Ｂ３1 ：第１基節骨
Ｂ３2 ：第２基節骨
ＩＮ：内側
Ｊ1 ：第１趾節間関節
Ｌｒ：第１ライン
Ｌｓ：第２ライン
ＭＰ1 ：第１ＭＰ関節
ＭＰ1 〜ＭＰ5 ：ＭＰ関節
Ｏ：中心
Ｏ１：母趾球
ＯＵＴ：外側
Ｒ１：第１回転方向
Ｒ２：第２回転方向
Ｗ：幅方向
Ｘ：前後方向
【図１】
0003144588.tif 000003
【図３】
0003144588.tif 000004
【図４】
0003144588.tif 000005
【図６】
0003144588.tif 000006
【図２】
0003144588.tif 000007
【図５】
0003144588.tif 000008
【図７】
0003144588.tif 000009
【図８】
0003144588.tif 000010